(57)【要約】      （修正有）【課題】端末の表示装置にイメージおよびそれに関連する音を生成する。【解決手段】端末の表示装置としての複数の発光素子のうち、少なくとも１つの発光素子に接触があったか否かを検出すること、該検出段階で少なくとも１つの発光素子に接触があったと判定した場合に、前記少なくとも１つの発光素子の発光を制御することを含んで構成する。【選択図】図２
2007300627.tif 000002
【特許請求の範囲】
【請求項１】
携帯端末におけるデータ提供の方法であって、 
前記端末の表示装置としての複数の発光素子のうち、少なくとも１つの発光素子に接触があったか否かを検出すること、
該検出段階で少なくとも１つの発光素子に接触があったと判定した場合に、前記少なくとも１つの発光素子の発光を制御すること、
を含んで構成されることを特徴とする方法。
【請求項２】
前記制御する段階は、
前記接触があった少なくとも１つの発光素子に対する接触回数を判定すること、
該接触があった少なくとも１つの発光素子に対する接触回数に基づいて、前記少なくとも１つの発光素子を点灯又は消灯させ、若しくは前記少なくとも１つの発光素子の色を変更するように制御すること、
を含んで構成されることを特徴とする請求項１に記載の方法。
【請求項３】
前記携帯端末の入力装置に含まれるオン／オフ機能キーが選択されたか否かを判定すること、
該判定段階で前記オン／オフ機能キーが選択されたと判定した場合に、現在点灯している全ての発光素子を消灯すること、
をさらに含んで構成されることを特徴とする請求項１に記載の方法。
【請求項４】
前記携帯端末の入力装置に含まれる色変更機能キーが選択されたか否かを判定すること、
該判定段階で前記色変更機能キーが選択されたと判定した場合に、現在点灯している全ての発光素子の色を変更すること、
をさらに含んで構成されることを特徴とする請求項１に記載の方法。
【請求項５】
前記少なくとも１つの接触があった発光素子は、イメージを形成するように明るくされる複数の接触があった発光素子に含まれることを特徴とする請求項１に記載の方法。
【請求項６】
前記携帯端末の入力装置に含まれる保存機能キーが選択されたか否かを判定すること、
該判定段階で前記保存機能キーが選択されたと判定した場合に、イメージを形成する複数の接触があった発光素子の発光状態を示すイメージ情報を保存すること、
をさらに含んで構成されることを特徴とする請求項５に記載の方法。
【請求項７】
前記携帯端末の入力装置に含まれる再生機能キーが選択されたか否かを判定すること、
該判定段階で前記再生機能キーが選択されたと判定した場合に、前記保存されたイメージ情報に従ってイメージを表示すること、
をさらに含んで構成されることを特徴とする請求項６に記載の方法。
【請求項８】
前記保存段階では、複数のイメージに対するイメージ情報が保存されており、
前記方法は、前記再生機能キーが選択されたことに基づいて、動画の生成を連続的な方式又はスライドモード方式で実行することで前記複数の保存されたイメージを表示すること、
をさらに含んで構成されることを特徴とする請求項６に記載の方法。
【請求項９】
前記携帯端末の入力装置に含まれるホールド設定機能キーが選択されたか否かを判定すること、
該判定段階で前記ホールド設定機能キーが選択されたと判定した場合に、前記少なくとも１つの発光素子に接触があったか否かを判定する前記判定段階を遮断すること、
をさらに含んで構成されることを特徴とする請求項１に記載の方法。
【請求項１０】
前記携帯端末の入力装置に含まれる送信機能キーが選択されたか否かを判定すること、
該判定段階で前記送信機能キーが選択されたと判定した場合に、他の端末に前記保存されたイメージ情報を送信すること、
をさらに含んで構成されることを特徴とする請求項６に記載の方法。
【請求項１１】
前記判定段階で前記少なくとも１つの発光素子に接触があったと判定した場合に、前記少なくとも１つの発光素子の音を制御すること、をさらに含んで構成されることを特徴とする請求項６に記載の方法。
【請求項１２】
前記設定されている音は、楽器音又はベル音を含むことを特徴とする請求項１１に記載の方法。
【請求項１３】
前記少なくとも１つの接触があった発光素子は、複数の接触があった発光素子に含まれ、これら接触があった各々の発光素子は、それぞれに対応する音を備えており、
前記方法は、前記接触があった発光素子に対する前記音を音楽として再生すること、
をさらに含んで構成されることを特徴とする請求項１１に記載の方法。
【請求項１４】
前記再生された音楽を保存すること、
をさらに含んで構成されることを特徴とする請求項１３に記載の方法。
【請求項１５】
前記保存されたイメージの表示と前記保存された音楽の再生とを同時に実行すること、
をさらに含んで構成されることを特徴とする請求項１４に記載の方法。
【請求項１６】
携帯端末であって、
複数の発光素子を含む表示装置と、
前記複数の発光素子のうち、少なくとも１つの発光素子に接触があったか否かを検出するように構成された検出装置と、
該検出装置が少なくとも１つの発光素子に接触があったと判定した場合に、前記少なくとも１つの発光素子の発光を制御するように構成された制御装置と、
を含んで構成されることを特徴とする携帯端末。
【請求項１７】
前記制御装置は、前記接触があった少なくとも１つの発光素子に対する接触回数を判定し、該接触があった少なくとも１つの発光素子に対する接触回数に基づいて、前記少なくとも１つの発光素子を点灯又は消灯させ、若しくは前記少なくとも１つの発光素子の色を変更するように制御することを特徴とする請求項１６に記載の携帯端末。
【請求項１８】
現在点灯している全ての発光素子を消灯するように構成されたオン／オフ機能キーをさらに含んで構成されることを特徴とする請求項１６に記載の携帯端末。
【請求項１９】
現在点灯している全ての発光素子の色を変更するように構成された色変更機能キーをさらに含んで構成されることを特徴とする請求項１６に記載の携帯端末。
【請求項２０】
前記少なくとも１つの接触があった発光素子は、イメージを形成するように明るくされる複数の接触があった発光素子に含まれることを特徴とする請求項１６に記載の携帯端末。   
【請求項２１】
記憶装置と、
イメージを形成する複数の接触があった発光素子の発光状態を示すイメージ情報を前記記憶装置に保存するように構成された保存機能キーと、
をさらに含んで構成されることを特徴とする請求項２０に記載の携帯端末。
【請求項２２】
前記保存されたイメージ情報に従って、イメージを再生するように構成された再生機能キーをさらに含んで構成されることを特徴とする請求項２１に記載の携帯端末。
【請求項２３】
複数のイメージは、前記記憶装置に保存されており、
該複数の保存されたイメージは、前記再生機能キーが選択されたことに基づいて、動画を生成する連続的な方式又はスライドモード方式で表示されることを特徴とする請求項２１に記載の携帯端末。
【請求項２４】
前記検出装置が前記少なくとも１つの発光素子に接触があったか否かを検出することを遮断するように構成されたホールド設定機能キーをさらに含んで構成されることを特徴とする請求項１６に記載の携帯端末。
【請求項２５】
他の端末と無線通信するように構成された無線通信装置と、
該無線通信装置を通じて前記保存されたイメージ情報を前記他の端末に送信するように構成された送信機能キーと、
をさらに含んで構成されることを特徴とする請求項２１に記載の携帯端末。
【請求項２６】
前記検出装置が前記少なくとも１つの発光素子に接触があったと判定した場合に、前記制御装置が前記少なくとも１つの発光素子の音を制御することを特徴とする請求項２１に記載の携帯端末。
【請求項２７】
前記設定されている音は、楽器音又はベル音を含むことを特徴とする請求項２６に記載の携帯端末。
【請求項２８】
前記少なくとも１つの接触があった発光素子は、複数の接触があった発光素子に含まれ、  これら接触があった各々の発光素子は、それぞれに対応する音を備えており、
前記制御装置は、前記接触があった発光素子に対する前記音を音楽として再生することを特徴とする請求項２６に記載の携帯端末。
【請求項２９】
前記制御装置は、前記再生された音楽を前記記憶装置に保存することを特徴とする請求項２８に記載の携帯端末。
【請求項３０】
前記制御装置は、前記保存されたイメージの表示と前記保存された音楽の再生とを同時に実行することを特徴とする請求項２９に記載の携帯端末。
【発明の詳細な説明】
【技術分野】
【０００１】
本発明は、２００６年４月２５日に出願された韓国特許出願１０−２００６−００３７２５７号の利益を主張する。そして、この出願の記載内容は、完全に本願明細書に組み入れられるものとする。
【０００２】
本発明は、使用者が携帯端末の表示装置に、イメージ及びそれに関連する音を生成することができる携帯端末及びその方法に関する。
【背景技術】
【０００３】
折り畳み式の携帯電話など個人の携帯端末は、端末が折り畳まれて閉じられている場合、使用者が状態情報や現在時刻などを見ることができるように端末外部に表示装置を備えている。しかし、表示される情報は、端末の製造会社によって予めプリセットされているため、これを使用者が大幅に変更したり、設定することができない。
【発明の開示】
【発明が解決しようとする課題】
【０００４】
従って、本発明の１つの目的は、前述した点及びその他の問題を解決することにある。
【０００５】
本発明の他の目的は、使用者が表示装置に単純にタッチすることで、端末の表示装置に表示される情報を便利且つ簡易に生成及び変更することができる携帯端末及びこれに対応した方法を提供することにある。
【課題を解決するための手段】
【０００６】
本発明のこのような目的及びその他の利点を達成するために、本明細書では、その態様を広く詳述する。本発明の一態様では、携帯端末におけるデータ提供の方法を提供する。この方法は、携帯端末の表示装置としての複数の発光素子のうち、少なくとも１つの発光素子に接触があったか否かを検出すること、該検出段階で少なくとも１つの発光素子に接触があったと判定した場合に、前記少なくとも１つの発光素子の発光を制御すること、を含んで構成されることを特徴とする。
【０００７】
他の態様では、本発明は、複数の発光素子を含む表示装置と、前記複数の発光素子のうち、少なくとも１つの発光素子に接触があったか否かを検出するように構成された検出装置と、該検出装置が少なくとも１つの発光素子に接触があったと判定した場合に、前記少なくとも１つの発光素子の発光を制御するように構成された制御装置と、を含んで構成されることを特徴とする携帯端末を提供する。
【０００８】
本発明の適用可能範囲は、後述する詳細な説明から明らかになる。また、本発明の好ましい実施形態を示す後述の発明の詳細な説明及び特定の実施形態は、一例を示しているに過ぎないことを理解しなければならなず、本技術分野の当業者であれば、このような詳細な説明から本発明の思想及び範囲を脱することなく、多種多様な変形及び修正ができることは明らかである。
【発明を実施するための最良の形態】
【０００９】
添付の図面は、本発明のより一層の理解を提供するためのものであり、本発明に組み入れられ、及び、本願明細書の一部を構成するものであり、本発明の実施形態を説明すると共に、本発明の原理を説明する解説書として用いられる。
【００１０】
以下、添付図面に示した実施形態を参照して、本発明の好ましい態様をさらに詳細に説明する。
【００１１】
以下の説明は、携帯電話、デジタル放送端末、ＭＰ３プレーヤー、ＰＤＡ（personal digital assistant）、ＰＭＰ（portable multimedia player）など様々なタイプの携帯端末に関するものである。また、本発明におけるマルチメディアデータとは、音楽、イメージなどを含むデータを含むものをいう。さらに、本発明におけるイメージとは、単一画像（single picture）又はアニメーションを含むものをいう。
【００１２】
図１は、本発明の一実施形態に従う携帯端末１００のブロック図である。図示したように、携帯端末１００は、入力装置１１０、制御装置１２０、表示装置１３０、検出装置１４０、記憶装置１５０、無線通信装置１６０及びオーディオ出力装置１７０を含む。
【００１３】
入力装置１１０は、複数のファンクションキー１１１〜１１７を含む。ファンクションキー１１１〜１１７の詳細な説明は、本明細書の全体にわたって提供される。図２に示したように、表示装置１３０は複数の発光素子１３１を含んで構成されている。加えて、各々の発光素子１３１は、電気を光に変換する。例えば、発光素子１３１は、発光ダイオード（ＬＥＤ）、半導体レーザー、有機エレクトロルミネセンス装置（ＯＬＥＤ：organic electroluminescent device）、無機エレクトロルミネセンス装置などであることができる。
【００１４】
さらに、図２に示したように、複数の発光素子１３１は、マトリックス形態で表示装置１３０に配置されている。加えて、検出装置１４０は、使用者が表示装置１３０に触れた場合に、その接触を検出する。例えば、使用者がスタイラス１０（図２参照）又は自己の指を使用して表示装置１３０に触れると、この接触を検出装置１４０が検出する。このように、検出装置１４０は、タッチパネル、タッチセンサー、その他で構成されることができる。
【００１５】
この検出装置１４０は、図２に示したように、発光素子１３１が配置される平面に提供される。また、検出装置１４０は、表示装置１４０に接触があった接触位置の座標値を判定する。本実施形態において、表示装置１４０は、２４×１６ドット（dot）の発光素子１３１を含んで構成される。従って、検出装置１４０は、接触（選択）された各発光素子１３１が第何行目の第何列目であるかを判定する。
【００１６】
さらに、端末１００は、ホールド解除モード又はホールドセットモードに設定されることができる。ホールド解除モードは、スタイラス１０が発光素子１３１に接触した場合に、この接触を検出装置１４０が検出するモードである。ホールドセットモードは、スタイラス１０が発光素子１３１に接触した場合に、この接触を検出装置１４０が検出しないモードである。使用者は、第５機能キー１１５を選択することで、この２つのモードを切り替えることができる。
【００１７】
また、検出装置１４０は、発光素子１３１のうちの１つを選択するための接触があると、これに対応する対応信号を制御装置１２０に伝達する。この対応信号は、接触があった発光素子１３１の情報（例えば、行及び列の番号）、発光素子１３１に何回の接触があったかの情報（例えば、１回、２回、３回など）、又は、制御装置１２０が要求するその他の情報が含まれる。
【００１８】
そして、制御装置１２０は、接触があった発光素子１３１のルミネセンス（発光）値を制御する。例えば、制御装置１２０は、対応する発光素子１３１を点灯及び消灯させ、輝度の値を変化させ、及び色を変化させる。発光制御は、発光素子１３１への接触回数に基づいて実行される。例えば、発光素子１３１に奇数回の接触があれば、発光素子１３１を点灯させる。一方、発光素子１３１への接触が偶数回であると、発光素子１３１を消灯させる。
【００１９】
加えて、第１機能キー１１１を、点灯中の全ての発光素子１３１を消灯させるために用いることができる。つまり、機能キー１１１は、点灯中の全ての発光イメージを消すために用いられる。言い換えると、使用者が第１機能キー１１１を押すと、点灯中の全ての発光素子が消灯する。
【００２０】
制御装置１２０は、点灯中の発光素子の色変更を制御する。詳細には、使用者が第２機能キー１１２を操作することによって、発光素子１３１の色が変更又は設定される。発光素子が、例えば、白色、黄色、赤色、青色及び緑色に変更可能であるとすると、第２機能キー１１２の上向キー１１２ａ（図２参照）が押された場合、色が白色→黄色→赤色→青色→緑色の順に変化するように制御される。
【００２１】
さらに、複数の発光素子１３１のうちの一側にある少なくとも１つの発光素子が、現在の色モードに対応する光を発光するように構成される。例えば、図２に示したように、現在の色モードが黄色モードであれば、一側にある発光素子ｍは黄色の光を発光する。また、使用者が現在の黄色モードを赤色モードに変更すると、発光素子ｍは、赤色を発光する。このようにして、使用者は、現在の色モードが何色であるかを容易に確認することができる。なお、図２では、現在の色モードの発光を示すために、４個の発光素子ｍを用いた実施形態を示したが、任意数の発光素子を用いることができる。
【００２２】
また、使用者は、色を変更するために機能キー１１２ａ、１１２ｂを使用するだけでなく、表示装置１３０への接触回数に基づいて色変更を実行することもできる。例えば、発光素子が白色、黄色、赤色、青色及び緑色に変化可能な色を備えていると仮定する。この場合、色は、使用者が表示装置１３０のある部分に接触した回数によって変更されることができる。例えば、接触位置に対応する発光素子の色は、使用者が所定の接触位置に連続して接触した回数によって、消灯→白色→黄色→赤色→青色→緑色の順に変化させられる。
【００２３】
本実施形態では、以上のようにして、発光素子が点灯及び消灯され、素子の色は、使用者が表示装置に触れた回数に基づいて変更される。従って、本実施形態では、第２機能キー１１２を省略することができる（又は、他の機能に使用される）。加えて、各発光素子１３１は、特定の発光素子１３１の色を変更するためにタッチされることもできる（現在発光している全ての発光素子を変化させるだけでなく）。
【００２４】
次に、図３を参照する。図３は、本発明の一実施形態に従う携帯端末におけるイメージ又はマルチメディアデータの提供方法を示したフローチャートである。図１及び図２は、この記載に関するものである。図３に示したように、検出装置１４０は、使用者による表示装置１３０への接触があったか否かを判定する（Ｓ１０段階）。使用者は、例えば、スタイラス又は自分の指で表示装置１４０に接触する。例えば、使用者は、特定の発光素子に所定回数だけタッチする。
【００２５】
次に、制御装置１２０は、使用者が発光素子に接触した回数に基づいて、その接触があった発光素子を制御する（例えば、点灯及び消灯、色変更など）（Ｓ２０段階）。また、本実施形態では、制御装置１２０は、接触があった発光素子に対する音を制御するように構成されている。さらに詳しく説明すると、例えば、プリセットされてる設定音は、その発光素子に対してのトーン又は楽器音であることができる。例えば、発光素子が、マトリックス形態で配置されている場合、「ド」、「レ」、「ミ」の固有トーンは、個々の発光素子に対応して、それぞれ「第１行第１列」、「第１行第２列」及び「第１行第３列」に割り当てられる。あるいは、ピアノ音、ギター音やドラム音などの楽器音を、「第２行第１列」、「第２行第２列」及び「第２行第３列」の発光素子にそれぞれ割り当てるようにしてもよい。
【００２６】
使用者が、ポインティングデバイス１０を使用して、これを表示装置１３０上の様々な位置に接触させると、様々な音楽的な音を演奏することができる。この演奏された音楽は、オーディオ出力装置１７０から出力される。そして、この演奏された音楽は、入力装置１１０に設けられた個別の機能キー（図示略）又はその他の機能キーが使用されて録音されることができる。
【００２７】
あるいは、音楽は、対応する発光素子に接触があった場合に保存するようにしてもよい。例えば、第１６列第２４行目に配置された発光素子に奇数回の接触があると、録音モードを開始するようにする。一方、第１６列第２４行目に配置された発光素子に偶数回の接触があると、録音モードを終了するようにするとよい。
【００２８】
また、携帯端末１００は、ホールドセットモードが解除されている場合に、表示装置に接触があると、音又は音楽を発生するように設定されることができる。このような場合において、ホールドセットのコマンド信号及び音を発生するホールド解除コマンド信号は、入力装置１１０の第７機能キー１１７から発生する。
【００２９】
以上のようにして、使用者は、所定の発光素子に接触することで、表示装置１１３にイメージを生成することができる。また、使用者は、各発光素子に対して、特定の色又は音を（前述したように）設定することができる。
【００３０】
次に、図３に示したように、生成されたイメージ又は音を保存するか否かを判定する（Ｓ３０段階）。使用者が、生成したイメージ又は音パターンを保存することを選択すると（Ｓ３０段階で、Ｙｅｓ）、制御装置１２０は、それに対応する発光素子に適切な情報を記憶装置１５０に保存する（Ｓ４０段階）。ここで、適切な情報とは、生成イメージ又は音パターンを再生成する際に使用される情報である。例えば、この情報は、各発光素子の色、音、表示時間間隔などを含むことができる。
【００３１】
また、使用者は、情報を保存するために、制御装置１２０に保存作業を実行させる指示を出力する第３機能キー１１３を押す。すると、保存作業に関する説明が与えられる。本実施形態では、合計３８４個の発光素子が、２４×１６のマトリックス形態で配置されている場合を想定している。次に、位置情報（例えば、座標値又はマトリックスインデックス）、色情報（例えば、赤色、青色など）、音情報、及び現在点灯している発光素子の表示期間などが、記憶装置１５０に保存される。オプションとして、複数の異なる表示イメージのイメージ情報を保存することもできる。もちろん、イメージ情報は、各イメージに対する発光情報を含むことができる。加えて、各素子に割り当てられた複数の音符を、音楽配列として保存することができる。この音楽配列は、イメージ表示と共に音楽として再生されるようにするため、イメージと共に保存することもできる。
【００３２】
次に、図３に示したように、本実施形態の方法は、使用者が保存されたイメージを表示させる否か、保存された音楽配列を再生させるか否かを判定する（Ｓ５０段階）。使用者がイメージを表示又は音楽を再生させることを選択すると（Ｓ５０段階で、Ｙｅｓ）、制御装置１２０は、要求された各機能を実行する（Ｓ６０段階）。さらに詳しく説明すると、保存されたイメージは、表示装置の各発光素子に対する保存された発光情報に基づいて表示される。同様に、保存された音楽配列は、オーディオ出力装置１７０を通じて出力される。
【００３３】
さらに、図３のＳ７０段階、Ｓ８０段階に示したように、保存されたイメージ又はマルチメディアデータを、他の端末に送信することができる。つまり、マルチメディアデータ又はイメージ情報は、制御装置１２０で使用される特定の送信制御信号に基づいて、無線通信装置１６０を通じて他の端末に送信される。この場合、本実施形態では、第６機能キー１１６が送信プロセスの実行に用いられる。
【００３４】
無線通信装置１６０は、操作された第６機能キー１１６から発生した送信命令信号に従い、無線通信網を通じて、他の端末にイメージ情報又はマルチメディアデータを送信する通信装置である。イメージ情報又はマルチメディアデータを送信する場合、まず、他の端末の電話番号等が入力され、及び、所望のイメージ情報又はマルチメディアデータが選択される。このため、好ましくは、第６機能キー１１６は、数字のキーパッド（numeral keypad）や、送信ボタン、終了ボタンを含むとよい。
【００３５】
加えて、使用者が複数のイメージを保存した場合、この保存された複数のイメージを時系列で表示させることができる。例えば、図４は、本発明の一実施形態に従う携帯端末を用いて連続再生される（例えば、時系列で）イメージを示した概念図である。さらに詳しく説明すると、まず、図４に示した第１イメージ１に対するイメージ情報と、第２イメージ２に対するイメージ情報と、が保存される。次に、使用者は、キャラクターをウィンクさせるために、保存された第１イメージと第２イメージとを連続再生する。
【００３６】
また、保存されたイメージをスライドモードで表示させることもできる。例えば、図５は、スライドモードで表示される語”ＨＥＬＬＯ”の文字を示す概念図である。本実施形態では、入力装置１１０の第４機能キー１１４がイメージを再生するために用いられる。例えば、イメージの再生は、入力装置１１０の第４機能キー１１４が短押しされることで実行される。一方、イメージの連続再生は、第４機能キー１１４が長押しされることで実行される。
【００３７】
また、再生可能な音楽又はベル音が保存されていれば、音楽又はベル音を連続方式又はスライド方式で再生することができる。さらに、イメージ、及び、音楽又はベル音を、同時に再生することができる。すなわち、イメージは、表示装置１３０で表示され、音楽又はベル音は、オーディオ出力装置１７０から出力される。
【００３８】
さらに、図示略しているが、本発明の一実施形態に従う携帯端末１００は、ボックス形状（または、他の形態）に配置された発光素子を、単一のキー入力で発光させる別途のツールボックスを実行するためのキーを備えている。例えば、使用者が、ツールボックスにある複数の異なる形状から四角形を選択し、ポインティングデバイス１０で表示装置１３０の特定位置をタッチすると、予め設定された方向に進む四角形パターンを表示するように発光素子が連続又は同時に発光する。
【００３９】
次に、図６を参照する。図６は、本発明の他の実施形態に従う携帯端末２００のブロック図である。図６に示したように、携帯端末２００は、入力装置２１０、制御装置２２０、表示装置２３０、検出装置２４０、記憶装置２５０、無線通信装置２６０及びオーディオ出力装置２７０を含んでいる。
【００４０】
これら構成要素の幾つかは図１と同一である。表示装置２３０は、発光ダイオード（ＬＥＤ）、半導体レーザー、有機エレクトロルミネセンス装置、無機エレクトロルミネセンス装置などである。図７に示したように、発光素子は、表示装置２３０としてマトリックス形態の状態で配置されている。
【００４１】
また、検出装置２４０は、ポインティングデバイス１０が表示装置に接触したことを検出する。すなわち、検出装置２４０は、表示装置２３０の平面に設けられるタッチパネル、タッチセンサーなどである。すなわち、検出装置２４０は、ポインティングデバイスが表示装置に接触したか否か、及び、表示装置のどの部分に接触したか、を検出する。
【００４２】
さらに、前述した実施形態と同様に、携帯端末２００には、ホールド解除モード及びホールドセットモードが設けられている。ホールド解除モードは、検出装置２４０による入力検出を可能にし、ホールドセットモードは、検出装置によるあらゆる入力検出を遮断する。入力装置２１０に設けられた第１機能キー２１１は、この２モードの切り替えに使用される。
【００４３】
さらに、図７に示したように、本実施形態において、表示装置２３０は、表示領域２３１、発光オフ領域２３２及び色変更領域２３３に分けられている。表示領域２３１は、接触があった時に発光する複数の発光素子を含む。また、発光オフ領域２３２にポインティングデバイス指示装置１０の接触があると、制御装置２２０は、この接触が、イメージ削除命令であると認識して、表示領域２３１の全ての発光素子を消灯させる。
【００４４】
さらに、ポインティングデバイス１０の接触した位置が色変更領域２３３であると、制御装置２２０は、色変更領域２３３のどの部分に接触があったのかを判定する。すなわち、制御装置２２０は、色変更領域２３３の領域ｍ１、ｍ２、ｍ３、ｍ４又はｍ５のいずれに接触があったのかを判定する。そして、現在の色モードを、対応する領域に設定された色モードに変更する。
【００４５】
例えば、領域ｍ１、ｍ２、ｍ３、ｍ４、及びｍ５に対応する色モードが、それぞれ白色、黄色、赤色、緑色及び青色である場合、ポインティングデバイス１０の接触があった位置が領域ｍ３であると、現在の発光色が赤色モードに変更される。また、この色変更は、表示領域２３１上で点灯している発光素子の１つの色変更だけではなく、表示領域２３１上で点灯している全ての発光素子に対する全色の変更となるようにしてもよい。
【００４６】
以上では、検出装置２４０は、接触の有無情報と、その接触位置情報とを制御装置２２０に転送する。次に、制御装置２２０は、接触位置にある発光素子の発光を制御する。発光素子は、ポインティングデバイス１０が発光オフ領域２３２に接触すると消灯させられる。
【００４７】
また、制御装置２２０は、特定の発光素子への接触回数に基づいて、各発光素子の発光特性を制御する。これは、例えば、発光素子に対して奇数回の接触があると発光素子を点灯させ、発光素子に偶数回の接触があれば発光素子を消灯させるようにする。
【００４８】
また、これと同様の状態が、発光素子に設定された音にも適用される。前述したように、設定された音は、トーンや楽器音などである。例えば、発光素子が、マトリックス形態で配置されている場合、「ド」、「レ」、「ミ」の固有トーンは、個々の発光素子に対応して、それぞれ「第１行第１列」、「第１行第２列」及び「第１行第３列」に割り当てられる。あるいは、ピアノ音、ギター音やドラム音などの楽器音を、「第２行第１列」、「第２行第２列」及び「第２行第３列」の発光素子にそれぞれ割り当てることもできる。
【００４９】
このように、使用者がポインティングデバイス１０を使用して表示装置２３０の様々な位置に接触すると、音楽が多様な楽器音に従って様々な方式で演奏されるようになる。この演奏された音楽は、オーディオ出力装置２７０から出力される。また、演奏された音楽は、入力装置２１０に設けられた別途の機能キー（図示略）又はその他の標準機能キーが用いられて、録音されることもできる。この録音機能は、表示装置２３０に設けられた対応する発光素子に接触すると実行される。例えば、第２４行第１６列に配置された発光素子に奇数回の接触があると、録音モードが開始され、第２４行第１６列に配置された発光素子に偶数回の接触があると、録音モードが終了される。
【００５０】
さらに、発光素子に接触があった場合に発生する音のプロセスは、携帯端末２００がホールド解除モードに設定されている場合にだけ作動するように設定される。この場合、第１機能キー２１１が、互いに異なるホールドセットモードとホールド解除モードとの切り替えに用いられる。第５機能キー２１５は、録音モードの開始と終了に使用される。
【００５１】
また、図７に示したように、前述した方法によって点灯した発光素子は、表示領域２３１にイメージを表示するために用いられる。すなわち、各発光素子のそれぞれの発光情報は、表示装置２３０の表示領域２３１にイメージを表示するために、制御装置２２０によって使用される。また、使用者は、制御装置２２０の制御下で記憶装置２５０にイメージ又は音を保存することができる。
【００５２】
すなわち、使用者は、生成したイメージ又は音を保存するために、第２機能キー２１２を選択する。本実施形態では、合計３８４個の発光素子が、２４×１６のマトリックス形態で配置されている場合を想定している。次に、現在点灯している発光素子の位置情報（例えば、座標値又はマトリックスインデックス）、色情報（例えば、赤色、青色など）などが保存される。前述したように、複数の異なる表示イメージのイメージ情報を保存することもできる。本実施形態では、イメージ情報は、各イメージに対する発光情報を含んでいる。
【００５３】
次に、図８を参照する。図８は、本発明の一実施形態に従う携帯端末におけるイメージ又はマルチメディアデータの提供方法を示したフローチャートである。図６及び図７は、この記載に関するものである。
【００５４】
先ず、検出装置２４０は、表示装置２３０に接触があったか否か（Ｓ１１０段階）、及び接触があった場合に表示装置２３０のどの位置に接触があったか（Ｓ１２０段階）、を検出する。そして、例えば、制御装置２２０は、表示領域２３１内の任意の発光素子に接触があったか否かを決定する（Ｓ１３０段階）。表示領域において、発光素子に接触がなければ（Ｓ１３０段階で、Ｎｏ）、制御装置２２０は、発光オフ領域２３２内の発光素子に接触があったか否かを判定する（Ｓ１９０段階）。そして、発光オフ領域２３２においても、発光素子に接触がなければ（Ｓ１９０段階で、Ｎｏ）、制御装置２２０は、色変更領域２３３内の領域ｍ１、ｍ２、ｍ３、ｍ４又はｍ５のいずれかに接触があったか否かを判定する（Ｓ２１０段階）。
【００５５】
一方、表示領域２３１内の発光素子に接触があると、制御装置２２０は、発光素子を所定の色で発光させ、及び／又は、所定の音を再生するように適切に制御する（Ｓ１４０段階）（前述したように）。さらに、この方法では、発光情報を保存するか否かを判定する（Ｓ１５０段階）。すなわち、制御装置は、使用者が第２機能キー２１２を選択したか否かを決定する。ここで、使用者が発光情報の保存を選択すると（Ｓ１５０段階で、Ｙｅｓ）、制御装置２２０は、発光情報を記憶装置２５０に保存する（Ｓ１６０段階）。
【００５６】
また、検出装置２４０が、発光オフ領域２３２に接触があったことを検出すると（Ｓ１９０段階で、Ｙｅｓ）、制御装置２２０は、発光オフ領域を適切に制御する（Ｓ２００段階）。すなわち、制御装置２２０は、表示領域２３１の発光素子を点灯又は消灯する。同様に、制御装置は、色変更領域２３３の複数の領域ｍ１〜ｍ５が選択されると、表示領域２３１の発光素子の色を変更する（Ｓ２１０段階）。
【００５７】
さらに、図３に示した一実施形態と同様に、この方法は、使用者が保存されたイメージ又は音を再生するか否かを判定する（Ｓ１７０段階）。すなわち、制御装置２２０は、使用者が発光情報の再生を要求する第３機能キー２１３を選択したか否かを判定する。第３機能キー２１３が短押しされるとイメージを表示／音を再生する。イメージ／音は、第３機能キーを押した状態が維持されると、連続して実行される。また、前述したように、保存されたイメージは、音楽又はベル音と共に再生されることができる。
【００５８】
使用者が情報の再生を要求すると（Ｓ１７０段階で、Ｙｅｓ）、制御装置２２０は、表示領域２３１内の選択された発光素子を表示し、表示イメージに関連した任意の保存された音をオーディオ出力装置２７０から出力する（Ｓ１８０段階）。
【００５９】
図３の第１実施形態と同様に、使用者は、保存された発光情報（イメージ、音楽など）を他の端末に送信することができる（Ｓ２２０段階、Ｓ２３０段階）。すなわち、保存された情報（イメージ、音楽など）を制御装置２２０の送信制御信号により無線通信装置２６０を通じて他の端末に送信するために、使用者は第４機能キー２１４を選択する。また、第４機能キー２１４は、数字のキーパッドや、送信ボタン、終了ボタンを含むとよく、図１の第６機能キー１１６と同様の方法で操作される。
【００６０】
さらに、演奏された音楽（ベル音を含む）は、イメージ情報と共にマルチメディアデータとして保存されることができる。また、複数の保存されたイメージは、図４に示したように時系列で再生されることができ、図５に示したようにスライドモードで再生されることもできる（第１実施形態と同様）。
【００６１】
本発明は、以下の効果又は利点を提供する。
【００６２】
まず第１に、使用者は、端末外部に表示されるイメージを直接作ることができる。また、使用者は、容易に端末にイメージを描くことができる。第２に、使用者は、発光素子を一回押したり又はタッチすることで、容易に命令を端末機に入力することができる。例えば、使用者は、本発明の一実施形態に従う端末を通じて、削除、色モード変更、情報保存、保存された情報再生、連続再生操作、ホールドモードなどの各種設定をすることができる。
【００６３】
第３に、複数の発光素子が、様々な色に変化すると共にイメージを表示するために選択及び使用されるので、端末に魅力的な外観を形成することができる。第４に、複数の類似イメージを、動画として自動的に再生するために生成及び保存することができる。
【００６４】
以上、本発明の実施形態を説明してきたが、当業者であれば、本発明の趣旨又は特許請求の範囲から逸脱することなく、種々の修正及び変更が可能であることは明らかである。よって、本発明は、添付の特許請求の範囲及びその均等物によって提供され、これらの修正及び変更を包括する。
【図面の簡単な説明】
【００６５】
【図１】本発明の一実施形態に従う携帯端末のブロック図。
【図２】図１に示した携帯端末の概念図。
【図３】本発明の一実施形態に従う携帯端末におけるマルチメディアデータ提供の方法を示すフローチャート。
【図４】本発明の一実施形態に従う携帯端末上で連続的に実行されるイメージを示す概念図。
【図５】本発明の一実施形態に従う携帯端末上でスライドモードを実行するイメージを示す概念図。
【図６】本発明の他の実施形態に従う携帯端末２００のブロック図。
【図７】図６に示した携帯端末の概念図。
【図８】本発明の他の実施形態に従う従携帯端末におけるマルチメディアデータ提供の方法を示すフローチャート。
【図１】
2007300627.tif 000003
【図２】
2007300627.tif 000004
【図３】
2007300627.tif 000005
【図４】
2007300627.tif 000006
【図５】
2007300627.tif 000007
【図６】
2007300627.tif 000008
【図７】
2007300627.tif 000009
【図８】
2007300627.tif 000010
【外国語明細書】
2007300627000001.pdf
2007300627000002.pdf
2007300627000003.pdf
2007300627000004.pdf